Podtech/llm-jp-corpus-v4-ja_patent huggingface dataset:
(57)【要約】      （修正有）【課題】月経時において使用する生理用ショーツで、経血モレにより着衣や寝具類を汚してしまうことがないようにする。【解決手段】少なくとも腰下半身を覆う女性用下着において、ヒップ部全体を包み込むように液不透過性素材を使用した女性用下着を、生理用ショーツの上から着用する。その形状は、例えばタップパンツ型である。【選択図】図１
0003122812.tif 000002
【実用新案登録請求の範囲】
【請求項１】
少なくとも腰下半身を覆う女性用下着において、ヒップ部全体に液不透過性素材を使用することを特徴とする女性用下着。
【請求項２】
前記女性用下着は、使用方法として生理用ショーツの上から着用することを特徴とする女性用下着。
【考案の詳細な説明】
【技術分野】
【０００１】  本考案は、月経時に使用される女性用下着の形状に関する。
【背景技術】
【０００２】  一般的な生理用下着の形状は、ショーツの内側に液不透過性素材を裏打ちしたものである。
【考案の開示】
【考案が解決しようとする課題】
【０００３】  しかしながら、以上の技術によれば、経血がショーツから漏れた場合には、直接着衣や寝具を汚してしまう。そこでこの考案は、生理用ショーツからの経血の漏れが、着衣や寝具を汚し難く、快適な女性用下着を提供することを課題とする。
【課題を解決するための手段】
【０００４】  以上の課題を解決するために、第一考案は、少なくとも腰下半身を覆う女性用下着において、ヒップ部全体を包み込むように液不透過性素材を使用することを特徴とする女性用下着である。
また、第二考案は、前記女性用下着の使用方法として、生理用ショーツの上から着用することを特徴とする女性用下着である。
【考案の効果】
【０００５】  第一考案、または第二考案によれば、ヒップ部全体を包み込むように液不透過性素材を使用した女性用下着を、従来の生理用ショーツの上から着用することによって、月経時においても着衣や寝具を汚し難くなる。
【考案を実施するための最良の形態】
【０００６】  本考案の一実施形態を、図１に示す。
生理用下着図１は布製であり、ゴム部を除く本体１の全体に液不透過性素材を使用する。【０００７】「他の実施形態」
図１の実施形態では、女性用下着はパンツ型であったが、他の実施形態ではスカート着用時や和装向けに円筒形のものでもよい。
また、失禁用にも使用できる。
【図面の簡単な説明】
【０００８】
【図１】この発明の一実施形態を示す斜視図である。
【符号の説明】
【０００９】１  本体            ２  ゴム部
【図１】
0003122812.tif 000003
【手続補正書】
【提出日】平成18年3月13日(2006.3.13)
【手続補正１】
【補正対象書類名】実用新案登録請求の範囲
【補正対象項目名】請求項２
【補正方法】変更
【補正の内容】
【請求項２】
使用方法として生理用ショーツの上から着用することを特徴とする請求項１記載の女性用下着。
(57)【要約】【課題】室内や屋外で、温かい飲み物や冷たい飲み物を飲む際、気温や室温による温度差で、飲み物の適温を保てていなかった。これらの問題を解決しようとするものである。【解決手段】伸縮性断熱材を筒状に形成したもので、飲み物本体を包む。素材の弾性により考案が容器に密着しているため、容器が外気に触れる面積も少なく、飲み物の急激な温度の変化を解決する。【選択図】図３
0003122813.tif 000002
【実用新案登録請求の範囲】
【請求項１】
カバー本体に、伸縮性のある断熱材を使用し、弾性を利用して容器本体との密着度を高め、容器への保冷温効果を上げる。
【考案の詳細な説明】
【技術分野】
【０００１】本考案は、飲み物容器などに保冷温効果を上げるカバーに関するものである。
【背景技術】
【０００２】従来温かい飲み物や冷たい飲み物があっても、そのままでは適温を保てず、温度の変化を外気や気温に任せていた。
【考案の開示】
【考案が解決しようとする課題】
【０００３】従来、家庭や屋外で飲み物を飲む場合、その飲み物、また、飲み物容器などは室温や気温、または飲み物を持ったときの体温、飲み物自体の接地面での温度差により、時間が経つにつれ適温だったものが、その温度を保てていなかった。これらの問題を解決しようとするものである。
【課題を解決するための手段】
【０００４】伸縮性断熱材を筒状に形成し、容器本体を包む。その素材自体の伸縮性で、容器に密着するため、外気に触れる容器の面積も少なくなり、露の発生や、急激な温度の変化も解決できる。
【考案の効果】
【０００５】次の効果が生じる。
１）本体の断熱材は柔軟であり、伸縮性がある為、缶、瓶、ペットボトル、パックの容器等に密着し、外気と接することなく温度差から生じる露の不快も解消できる。
２）従来は容器と同型の保冷温器が多く、収納の際スペースが必要だったが、本体は柔軟な素材なので折りたたみが可能であり、スペースを最小限で収納できる。また、電気の使用も無いため、使用による汚れも、もみ洗いできる
３）伸縮性の弾性を利用し、容器本体と密着させているため、容器本体を持ち上げてもカバーは重力で落下しない
４）柔軟で伸縮性がある素材なので、容器の大きさが近ければ考案に手を加えることなく対応出来る。
【考案を実施するための最良の形態】
【０００６】１）容器をカバーの伸縮性に任せて片側の開口に差し込む。カバーが飲み口にかかるようであればカバーを折り返す。
２）底部付きであれば、底まで容器を押し入れる
【産業上の利用可能性】
【０００７】本考案には、伸縮性断熱材の弾性を利用し容器を包むため、本体は容器よりも小さな形状にすることができる。また柔軟性もあり、折り畳みも可能なため、持ち運びも手軽で収納スペースもとらない。
【図面の簡単な説明】
【０００８】
【図１】本考案を示す斜視図である
【図２】本考案の断面図
【図３】本考案の使用状態を示す１例斜視図
【符号の説明】
【０００９】１    伸縮性断熱材
２    筒状本体
３    容器
【図１】
0003122813.tif 000003
【図２】
0003122813.tif 000004
【図３】
0003122813.tif 000005
【手続補正書】
【提出日】平成18年3月23日(2006.3.23)
【手続補正１】
【補正対象書類名】実用新案登録請求の範囲
【補正対象項目名】全文
【補正方法】変更
【補正の内容】
【実用新案登録請求の範囲】
【請求項１】
伸縮性のある断熱材（クロロプレーン）を筒状に形成し、弾性を利用して容器本体との密着度を高め、容器への保冷温効果を上げるボトルカバー
(57)【要約】      （修正有）【課題】リクライニング式座椅子・リクライニング式チェアーベッド・うつ伏せ用ベッドとして用いることを可能にした座椅子・チェアー・ベッドを提供する。【解決手段】リクライニング式座椅子のすわる部分を足の方向へ２倍に延長し（延長した部分ははずれずかつ折りたたみ可能にする）、背もたれ部分にうつ伏せの姿勢で顔をのせ腕を通すための突起をつけ、すわる部分・延長部分・背もたれ部分にそれぞれ折りたたみ式の足をつけることによって、リクライニング式座椅子・リクライニング式チェアーベッド・うつ伏せ用ベッドとして用いることを可能にする。【選択図】図１
0003122811.tif 000002
【実用新案登録請求の範囲】
【請求項１】
リクライニング式座椅子のすわる部分を足の方向へ２倍に延長し（延長した部分ははずれずかつ折りたたみ可能にする）、背もたれ部分にうつ伏せの姿勢で顔をのせ腕を通すための突起をつけ、すわる部分・延長部分・背もたれ部分にそれぞれ折りたたみ式の足をつけることによって、リクライニング式座椅子・リクライニング式チェアーベッド・うつ伏せ用ベッドとして用いることを可能にした座椅子・チェアー・ベッド。
【考案の詳細な説明】
【技術分野】
【０００１】  本考案は、リクライニング式座椅子のすわる部分を足の方向へ２倍に延長し（延長した部分ははずれずかつ折りたたみ可能にする）、背もたれ部分にうつ伏せの姿勢で顔をのせ腕を通すための突起をつけ、すわる部分・延長部分・背もたれ部分にそれぞれ折りたたみ式の足をつけることによって、リクライニング式座椅子・リクライニング式チェアーベッド・うつ伏せ用ベッドとして用いることを可能にした座椅子・チェアー・ベッドに関するものである。
【考案の開示】
【考案が解決しようとする課題】
【０００２】  背骨・腰・骨盤等に最も負担をかけない姿勢は、寝転んだ姿勢であるといえる。しかしあお向けの姿勢では、本や新聞をもつ手や腕がすぐに疲れてきてしまい、またぶれるために眼に負担がかかり、更に字を書くことは不可能に近い。うつ伏せの姿勢では、ひじを張って胸を大きくそらせる必要があり、ひじや胸に負担がかかり、また本や新聞からの距離があまりとれないため、近眼になりやすく、また老眼になると読みづらくなる。字を書く時は、体を傾けたり手や腕を動かしたりする必要があるため、ひじや胸や眼に更に負担をかけることになる。うつ伏せの姿勢で、ひじを張ったり胸を大きくそらせたりすることなく、また体をあまり傾けたり動かしたりすることなく、更に眼からの距離を適切にとりつつ本や新聞を読んだり字を書いたりできるようなベッドが望まれる。また、うつ伏せだけでなく、より多くの姿勢で本や新聞を読むことができれば更に望ましい。
【課題を解決するための手段】
【０００３】  リクライニング式座椅子のすわる部分を足の方向へ２倍に延長し（延長した部分ははずれずかつ折りたたみ可能にする）、背もたれ部分にうつ伏せの姿勢で顔をのせ腕を通すための突起をつけ、すわる部分・延長部分・背もたれ部分にそれぞれ折りたたみ式の足をつける（それぞれ４本・２本・２本の足をつける）。
【考案の効果】
【０００４】  うつ伏せ用ベッドとして、うつ伏せの姿勢をとりつつ、ひじを張ったり胸を大きくそらせたりすることなく、また体をあまり傾けたり動かしたりすることもなく、更に眼からの距離を適切にとりつつ、楽に本や新聞を読んだり字を書いたりすることができる。また、リクライニング式座椅子やリクライニング式チェアーベッドとして、様々な床に座った姿勢や様々な腰掛けた姿勢をとることができるため、その意味でも体や眼に負担をかけることなく、楽に本や新聞を読むことができる。
【考案を実施するための最良の形態】
【０００５】  顔をのせる部分は、図３のように上への膨らみと傾斜をつけて顔との接触面積を大きくし、なるべく圧迫感や痛みがないようにする。折りたたみ式の足の長さは、介護用の椅子等に見られるような形で調節可能であることが望ましい。肘掛部分があってもよい。リクライニングは４段階以上が望ましい。
【図面の簡単な説明】
【０００６】
【図１】ベッドを横から見た図
【図２】ベッドを上から見た図
【図３】うつ伏せの姿勢で顔をのせる部分の横断面図
【図４】チェアーベッドを横から見た図
【図５】座椅子を横から見た図
【符号の説明】
【０００７】  １、  顔をのせ腕を通すための突起
２、  リクライニング式座椅子の背もたれ部分
３、  リクライニング式座椅子のすわる部分
４、  リクライニング式座椅子のすわる部分を足の方向へ延長した部分
５、  折りたたみ式の足
【図１】
0003122811.tif 000003
【図２】
0003122811.tif 000004
【図３】
0003122811.tif 000005
【図４】
0003122811.tif 000006
【図５】
0003122811.tif 000007
【手続補正書】
【提出日】平成18年3月17日(2006.3.17)
【手続補正１】
【補正対象書類名】実用新案登録請求の範囲
【補正対象項目名】請求項１
【補正方法】変更
【補正の内容】
【請求項１】
リクライニング式座椅子のすわる部分を足の方向へ２倍に延長し、延長した部分ははずれずかつ折りたたみ可能にし、また、背もたれ部分にうつ伏せの姿勢で顔をのせ腕を通すための突起をつけ、更に、すわる部分・延長部分・背もたれ部分にそれぞれ折りたたみ式の足をつけることによって、リクライニング式座椅子・リクライニング式チェアーベッド・うつ伏せ用ベッドとして用いることを可能にした座椅子・チェアー・ベッド。
(57)【要約】      （修正有）【課題】粉や砂を篩で選別する場合，選別された粒子が受ける容器の外や敷物一杯に飛散し，それを寄せ集める作業が必要である。【解決手段】篩の外周下部を収容する縁５をもつ受け皿を用意し，篩と受け皿にそれぞれ対応する把手２・６を付け，その把手を同時に握って振ることによって，粉や砂の飛散を防ぎ，効率的に選別作業が行われるようにした。【選択図】図４
0003122814.tif 000002
【実用新案登録請求の範囲】
【請求項１】
粉や砂の飛散を防ぐため，篩の下部を収容する縁のある受け皿を付けること．
【請求項２】
篩の外周の下部と受け皿の外周の上部に，それぞれ把手を付け，それらを同時に握って振ることによって，粉や砂の飛散を防き，選別が効率的に行えるようにすること．
【考案の詳細な説明】
【考案の開示】
【考案が解決しようとする課題】
【０００１】  粉や砂を選別する場合，大きな器や敷物の上で篩を振って行うが，選別された粉や砂が器の外や敷物一杯に飛散し，それを寄せ集める作業が必要になるという課題がある．
【課題を解決するための手段】
【０００２】  篩の下部を収容する縁と外周の上部に把手の付いた受け皿を用意し，篩の外周の下部に受け皿のそれと同じ大きさの把手を付け，両方の把手を握ることによって両者が固定できるようにした．
【考案の効果】
【０００３】  篩を振っても，受け皿がその縁と両者の把手で固定されているため，粉や砂が周囲に飛散しない．また，把手を握るだけで固定されるため，選別作業を効率的に行うことができる．
【図面の簡単な説明】
【０００４】
【図１】  篩本体の平面図である．
【図２】  篩本体の断面図である．
【図３】  受け皿本体の平面図である．
【図４】  受け皿本体の断面図である．
【符号の説明】
【０００５】１  篩本体
２  篩の把手
３  網
４  受け皿本体
５  篩の外周下部を収容する受け皿の縁
６  受け皿の把手
【図１】
0003122814.tif 000003
【図２】
0003122814.tif 000004
【図３】
0003122814.tif 000005
【図４】
0003122814.tif 000006
【手続補正書】
【提出日】平成18年3月16日(2006.3.16)
【手続補正１】
【補正対象書類名】実用新案登録請求の範囲
【補正対象項目名】全文
【補正方法】変更
【補正の内容】
【実用新案登録請求の範囲】
【請求項１】
粉や砂の粒子の選別作業において，その飛散を防ぐ目的で，篩の下部を収容する縁と把手によって，篩を固定することを特徴とする受け皿．
【請求項２】
請求項１の受け皿を能率的に機能させるため，篩と受け皿を容易に固定できるように，篩の外周下部と受け皿の外周上部に付ける対応する把手．
(57)【要約】【課題】  本考案はみかん栽培などに使用する園芸用マルチシートを風雨から守るためのおもりを逆おわん型に成型し、なだらかなカーブつけることにより、灌漑水用ホースや農業従事者の足の引っかかりを防ぐおもりである。【解決手段】本考案は、逆おわん状に成型したコンクリート本体中央に、中心点から９ｃｍの間隔で２つの穴を貫通させ、その内部に園芸用ハウスバンドのヒモを通し、持ち手をつけた。また２つの穴には、塩化ビニール製のパイプを設置することで、持ち手となるハウスバンドがコンクリートと直接擦れて切れることのないよう耐久性を向上させた。この製品により、従来、石や砂袋で押えていたシートが固定され、さらに本体２aのなだらかなカーブの作用により灌漑水や薬液散布に使用するホースや、農業従事者の足元の引っかかりによる転倒を防ぐことに役立つ。【選択図】図１
0003122893.tif 000002
【実用新案登録請求の範囲】
【請求項１】
１・生セメント、砂、砂利、水を配合したコンクリートを、逆おわん型の形状に成型し、内部に１６番の針金を円形に加工し埋め込む。
２・本体上部中央から周囲に向かい、９ｃｍの間隔で、本体上方から下方に向かい垂直に二つの穴を貫通させ、穴の内部に塩化ビニールパイプを設置する。
３・上記２によって作成した穴に、持ち手となるハウスバンドを通し、容易にほどけることのないよう、ハウスバンドの両端を重ね合わせ、玉結びにした。
以上１、２、３の構成からなる持ち手付きコンクリート製おもり
【考案の詳細な説明】
【技術分野】
【０００１】
本考案は、本体を逆おわん状に成型したコンクリートにハウスバンドの持ち手をつけたコンクリート製おもりに関するものである。
【背景技術】
【０００２】
従来、みかんなどのマルチ栽培は、果樹真下に張るマルチシートを、石や、砂などを詰めた袋で風雨などから飛ばされないよう押さえていた。
【考案の開示】
【考案が解決しようとする課題】
【０００３】
風雨などによってマルチシートが飛ばされないよう設置していた砂袋や石などでは、それ自体の形状がいびつなため、灌漑水用のホースが引っかかったり、また農業従事者が足を取られて転倒するなどの事故があった。また、大規模農家にとっては、かなりの広範囲に亘って占有するマルチシートを押えるのに適した石などを見つけ出すのも時間的、労働的負担である。さらに、石や砂袋はかなりの重量があり、みかんの産地に多く見られる丘陵地を持ち運ぶのにも不便な点があった。従っておもりとしての本来の機能に加え、本体に丸みをつけ、さらに持ち手をつける事によって、作業の安全性や運搬時の利便性を向上すると同時に、前述の欠点を解決しようとするものである。
【課題を解決するための手段】
【０００４】
逆おわん状をしたコンクリート製のおもりに持ち手を付けることで、運搬を容易にした。
また、おわんの曲線部分が灌漑水用のホースや、農業従事者の足の引っかかりを防ぐのに効果がある。
【考案の効果】
【０００５】
上述の様に、本考案の持ち手付きコンクリート製おもりは、本体になだらかな丸みをつけることにより、灌漑水用ホースや、農業従事者の足の引っかかりをなくし、転倒事故を防ぐ安全面での効果がある。また、本体にハウスバンド製の持ち手をつけることにより、本体運搬や撤去時の利便性も向上し、手間を省力化できる。
【考案を実施するための最良の形態】
【０００６】
運搬するために本体に取り付けたハウスバンド製の持ち手を持ち、主にみかんのマルチ栽培に使用する。園芸用マルチシートの両端、中央等に適宜配置し、風雨からのシートはがれを防ぐ。
【実施例】
【０００７】
以下、添付図面に従って一実施例を説明する。１は生セメント、砂、砂利、水を配合したコンクリート本体で、乾燥重量は約３ｋｇ。直径２４ｃｍ、高さ７ｃｍ。本体表面は凹凸がほとんどなく、さらに成型時、上面から下面にかけて、なだらかな逆おわん状のカーブを設けている。最底部は円形で平たく、おもりとして大きな面積を押えるのに適している。２は外径１３ｍｍ、内径１１ｍｍの塩化ビニール製パイプを約７ｃｍの長さにカットし、本体の中央から９ｃｍの間隔で、本体上方から下方に向かい２ヶ所に配置し垂直に装着。パイプは本体を貫通しており、その内部に園芸用ハウスバンドを通し容易にほどけることのないようにハウスバンドの両端を一本に重ね合わせ、玉結びの要領で結んだ。３は本体の持ち手となるが、２の塩化ビニールパイプの中を通すことにより直接コンクリート本体とは接触しない。このため運搬時に生じる、持ち手ヒモとコンクリート本体との摩擦が最小限に抑えられ、持ち手ヒモの使用耐久性も向上する。４は、太さ１６番の針金を直径２０ｃｍの円形に加工し、コンクリート内部の、主に周囲の強度を増すために本体底部から１ｃｍの深さに埋め込んだ。
【０００８】
本考案の一実施例は上述の如き構成からなるが、本体を園芸用として活用することは勿
論のこと、台風や自然災害時の家屋の補修などに用いられるシートのおもりとしても流用可能である。
【産業上の利用可能性】
【０００９】
主としてみかん農家へのマルチ栽培や、被災時の家屋等のおもりとしての利用が見込ま
れる。
【図面の簡単な説明】
【００１０】
【図１】本考案の持ち手つきコンクリートおもりの実施例を表す側面図である。
【図２】本コンクリートおもりの上方図である。
【符号の説明】
【００１１】
１   ビニール製ハウスバンド結び目
１a  持ち手（ビニール製ハウスバンド）
２   コンクリートおもり本体
２a  コンクリート本体のなだらかなカーブ
３   コンクリート内部の補強用針金
４   持ち手穴内部のビニールパイプ
【図１】
0003122893.tif 000003
【図２】
0003122893.tif 000004
(57)【要約】      （修正有）【課題】ウインドサ−フィンに使用するブ−ムに取り付けるハーネスラインを提供する。【解決手段】ブ−ムに片側２箇所で取り付けていたハ−ネスラインを１箇所に結合（一体化）することでブ−ムからの脱着を容易にしたハ−ネスラインである。【選択図】図１
0003122806.tif 000002
【実用新案登録請求の範囲】
【請求項１】
ウインドサ−フィンのセイルを操るブ−ムに取り付けるハ−ネスラインについてであるが、図４に示すブーム本体Ｂのブーム片側Ｇに２箇所止めにしてなる従来のハーネスラインＡの取り付け部分のＤとＥを図３に示すように分離した部分を一つに結合ＸしハーネスラインＡをブ−ム本体Ｂ片側１Ｇに巻き込み取り付け部Ｆに通して引っぱりだして取り付けを行う  又  取り外す場合はその逆の手順で行う
対するブーム片側２Ｈも同様に行う
結果ブームエンドＣを脱着することなく取り付けることが容易にして成る一体化ハ−ネスライン。
【考案の詳細な説明】
【技術分野】
【０００１】本考案は、ウインドサ−フィンに使用するブ−ムに取り付けるハーネスラインに関する。
【背景技術】
【０００２】従来はブームにハーネスラインを片側２箇所止めをしていた。（図２）
【考案の開示】
【考案が解決しょうとする課題】
【０００３】しかし、これではハ−ネスラインが切れた時など、ブ−ムエンドを取り外すなどし  片側２箇所止めしていた
部分を取り外さなくてはならない為  非常に不便である。
【課題を解決するための手段】
【０００４】そこで片側２箇所止めを一体化することで  ハ−ネスラインが切れた時などブ−ムエンドを取り外さなくても容易に脱着出来るのを考案した。（図１）
【考案の効果】
【０００５】よって、本考案の一体化ハ−ネスラインにより、ブ−ムからの脱着を容易にし  またそうすることでセイリングをも楽に出来片手で移動させ  セイルのパワ−ポイントも見つけ易くなり他の部分に不意なひっかかりを最小限に抑えることが出来た。
結果セイリング上においても安全面が向上した。
【考案を実施するための最良の形態】
【０００６】本考案に係る一体化ハ−ネスラインＡは、図１の示すようにブーム本体Ｂからブ−ムエンドＣを脱着ぜすブーム本体Ｂの片側ＧにハーネスラインＡを巻き込みＦの部分に通しハーネスラインＡを引っぱり出して取り付けた形態である。
尚、対するブ−ム片側２Ｈも同様の手順で行う。
【図面の簡単な説明】
【０００７】
【図１】本考案に係る一体化ハ−ネスラインを、取り付けた時の全体の図である。
【図２】図１のハーネスラインの取り付け部分片側の拡大図
【図３】従来のハ−ネスラインを取り付けた時の全体の図である。
【符号の説明】
【０００８】Ａ    ハ−ネスライン
Ｂ    ブーム本体
Ｃ    ブームエンド
Ｄ    ブームへの取り付け部分その１
Ｅ    ブームへの取り付け部分その２
Ｆ    ハーネスラインを取り付ける時に通す部分
Ｇ    ブーム片側１
Ｈ    ブーム片側２
Ｘ    結合部分
【図１】
0003122806.tif 000003
【図２】
0003122806.tif 000004
【図３】
0003122806.tif 000005
【手続補正書】
【提出日】平成18年4月6日(2006.4.6)
【手続補正１】
【補正対象書類名】実用新案登録請求の範囲
【補正対象項目名】全文
【補正方法】変更
【補正の内容】
【実用新案登録請求の範囲】
【請求項１】
ウインドサ−フィンのセイルを操るブ−ムに取り付けるハ−ネスラインであるが、通常ハ−ネスラインを取り付ける際、ブ−ム本体からブ−ムエンドを外し、本体片側にそれぞれ2箇所に分けて取り付けをするが、その分かれている2箇所をあらかじめ結合し1体化することで、ブ−ム本体に巻きつけ、それをくぐらし、取り付けを容易にすることが出来た、1体化にしてなるハ−ネスライン。
(57)【要約】【課題】就寝時、熟練したテーピング技術なしに下顎を持ち上げた状態に保ち、開口防止と気道確保を目的とした顎支持帯の提供。【解決手段】肌に馴染みの良いウレタンフォーム素材を使用し、額から後頭部に回した鉢巻状に顎支持帯を取りつけるもので、使用者が自分に合ったテンションを決められることを特徴とする。【選択図】図５
0003122810.tif 000002
【実用新案登録請求の範囲】
【請求項１】
額から後頭部に回した鉢巻状のもの（０１）と、鉢巻状の両サイドに接続するすり鉢状の顎支持帯（０２）からなる開口防止及び気道確保用具
【請求項２】
鉢巻として使用する６０ｃｍ程度のテーピング材の一ヶ所からＴ字或いは矩尺状に４０ｃｍ程度同テーピング材を垂らし、（０３）の接合部を接着剤または縫い合わせにより固定させておき、（０４）及び（０５）の端には長さを調節できるよう面ファスナーを取り付けた請求項１記載の開口防止及び気道確保用具中間体。
【考案の詳細な説明】
【技術分野】
【０００１】本考案は、額から後頭部に回した鉢巻状のものから吊り下げた顎支持帯に関するもの。
【背景技術】
【０００２】呼吸障害や睡眠時無呼吸障害のある患者には就寝時に鼻マスクを利用した人口補助換気療法が一般的に行われているが、しばしば口呼吸になり、その為鼻から入れた空気が口から漏れ肺内の換気が十分にできなくなる。
【考案の開示】
【考案が解決しようとする課題】
【０００３】就寝時の開口を防止するものとしては、頭頂部から吊るチンストラップが提案されているが、就寝時の患者の寝返り等により頭頂部が頭髪に滑って、ずれたり外れたりする為十分な効果が得られなかった。【０００４】本考案は、上述の問題点に着目したもので、スポーツ選手が足首や膝など怪我した際に行うテーピング材、テーピング技術を顎に使用するものである。
【課題を解決するための手段】
【０００５】一般的にテーピングを行うには熟練した経験と技術を必要とするが、本考案は誰にでも簡単に装着できるよう考案したテーピングタイプの顎支持帯である。【０００６】鉢巻及び顎支持帯は就寝時に過度の締め付け苦痛がないよう、また、安全を考えていざという時には口が開くよう、簡単に長さ調節ができる面ファスナー仕様とする。【０００７】鉢巻及び顎支持帯に使われる素材は伸縮性があり、肌や頭髪に密着し、透湿性があるウレタンフォームを基布としている為、就寝時の着用ずれや汗による不快感が少ない。
【考案の効果】
【０００８】本考案の顎支持帯を装着することにより、就寝中の顎の筋弛緩による開口防止効果と、舌根が沈下して起こる気道閉塞防止に効果がある。【０００９】  顎当て部材に合成樹脂等硬い素材を使用するのでなく、肌に馴染みの良いウレタンフォーム素材を使用している為、フィット性が良く、就寝時の不快感がない。
【考案を実施するための最良の形態】
【００１０】個人個人の顔の大きさ、顎の形状にフィットするよう図２のＴ字或いは矩尺状の中間体を提供し、図１のように使用者自身が装着する。
【実施例】
【００１１】本考案について、以下図面に基づいて説明する。
図１は、使用者が実際に装着した状態を示す。図１の（０１）は鉢巻状。図１の（０２）は顎支持帯。図１の（０３），（０４）、（０５）はいずれも接着箇所を示す。
図２は、鉢巻となる長さ６０ｃｍ程度のウレタンフォームテーピング材（０１）に顎支持帯（０２）を接着箇所（０３）で接着或いは縫い合わせ、Ｔ字状にしたもの。
図３は、図２の顎支持帯が耳前上部にくるよう位置決めしたもの。
図４は、反対側の耳上部前を面ファスナーで留め、鉢巻を形成する。
図５は、図３で垂れ下げた顎支持帯を適度に引っ張って顎を経由し、反対側の耳上部前の鉢巻接着部位近くを面ファスナーで留める。
【産業上の利用可能性】
【００１２】我が国で鼻マスク人口補助換気療法を受けている患者は、慢性的に血中の炭酸ガス蓄積を伴った呼吸不全患者や新幹線運転手の居眠り事件以来急速に増加している睡眠時無呼吸症候群患者で、医療機関に入院或いは通院している患者は１０万人以上いると言われている。本考案は医療業界の活性化につながる。
【図面の簡単な説明】
【００１３】
【図１】顎支持帯の正面図
【図２】使用者に提供する中間体を裏側から見た正面図
【図３】装着位置確認の側面図
【図４】鉢巻状に留めた状態の側面図
【図５】顎支持帯を鉢巻接着部に留め、着用した際の側面図
【符号の説明】
【００１４】０１  鉢巻き状
０２  顎支持帯
０３  接着部位
０４  面ファスナーで鉢巻を留める部位
０５  面ファスナーで顎支持帯を留める部位
【図１】
0003122810.tif 000003
【図２】
0003122810.tif 000004
【図３】
0003122810.tif 000005
【図４】
0003122810.tif 000006
【図５】
0003122810.tif 000007
【手続補正書】
【提出日】平成18年3月22日(2006.3.22)
【手続補正１】
【補正対象書類名】実用新案登録請求の範囲
【補正対象項目名】請求項２
【補正方法】変更
【補正の内容】
【請求項２】
鉢巻として使用する６０ｃｍ程度のテーピング材（０１）の一ヶ所から、すり鉢状の顎支持帯となる４０ｃｍ程度の同テーピング材（０２）を垂らし、両者がＴ字或いは矩尺状に交わる接合部分（０３）を接着剤または縫い合わせ等により固定させ、また、鉢巻状（０１）の片側端（０４）及びすり鉢顎支持帯となるテーピング材（０２）の下部端（０５）には、長さを調節するための面ファスナーを取り付けた請求項１記載の開口防止及び気道確保用具。
(57)【要約】【課題】  構造上補強を要する箇所にサポータする役目の工法であり、部材を外部より柱・梁にパイプ及びワイヤーで強固に巻き付けて強度を補う為の工法である。【解決手段】  建物を解体せず現存させ、安心・安易に構造物を保護する工法である。【選択図】図１
0003122802.tif 000002
【実用新案登録請求の範囲】
【請求項１】
構造分に鉄筋，鉄骨等が不足の場合に強度を補強する為に半割パイプを付け、鋼製ワイヤーで巻き付けて柱，梁の強度を補強する役目を果たす。
【考案の詳細な説明】
【技術分野】
【０００１】  鉄筋コンクリート等の構造分で強度不足の場合に強度を補強して建物の安全を保つ工法である。
【背景技術】
【０００２】  構造設計の耐震偽造の構造物を解体及び建替え等の無駄な費用を軽減する為に考えた強度補強の工法である。
【考案の開示】
特許公開２０００−８０７５８
【考案が解決しようとする課題】
【０００３】  建物等に構造設計など不備が認められたり、解体などによる無駄な費用等を軽減する強度補強工法である。
【課題を解決するための手段】
【０００４】  無駄な費用及び時間に要することなく、現場着手が可能な工法である。
【考案の効果】
【０００５】  ワイヤー等を巻き付ける工法により強度があがる。
【考案を実施するための最良の形態】
【０００６】  柱部分をワイヤーを二重に巻き付けることにより強度が倍増する。
【実施例】  ・・・・
【産業上の利用可能性】  ・・・・
【図面の簡単な説明】
【０００７】
【図１】本考案の構造体補強工法によるパイプワイヤーを用いた一実施例を示す立面図である。
【図２】建築物の角柱に補強を用いた平面図である。
【図３】建築物の丸柱に補強を用いた平面図である。
【図４】建築柱、壁にパイプワイヤーを巻き付けた断面図である。
【図５】梁及びスラブにパイプワイヤーを巻き付けた断面図である。
【符号の説明】
【０００８】  １    建築柱
２    梁
３    パイプ半割
４    鋼製ワイヤー
５    ワイヤー止具
６    ワイヤー通し穴
７    仕切壁
８    ワイヤー壁仕切通し穴
９    コンクリートスラブ
１０  地中梁
【図１】
0003122802.tif 000003
【図２】
0003122802.tif 000004
【図３】
0003122802.tif 000005
【図４】
0003122802.tif 000006
【図５】
0003122802.tif 000007
【手続補正書】
【提出日】平成18年3月22日(2006.3.22)
【手続補正１】
【補正対象書類名】実用新案登録請求の範囲
【補正対象項目名】全文
【補正方法】変更
【補正の内容】
【実用新案登録請求の範囲】
【請求項１】
構造分に鉄筋，鉄骨等が不足の場合に強度を補強する為に柱に半割パイプを付け、鋼製ワイヤーで巻き付けて補強した柱。
【手続補正２】
【補正対象書類名】明細書
【補正対象項目名】全文
【補正方法】変更
【補正の内容】
【考案の詳細な説明】
【技術分野】
【０００１】  鉄筋コンクリート等の構造分で強度不足の場合に強度を補強して建物の安全を保つ柱である。
【背景技術】
【０００２】  構造設計の耐震偽造の構造物を解体及び建替え等の無駄な費用を軽減する為に考えた強度を補強した柱に関するものである。
【考案の開示】
特許公開２０００−８０７５８
【考案が解決しようとする課題】
【０００３】  建物等に構造設計など不備が認められたり、解体などによる無駄な費用等を軽減する。
【課題を解決するための手段】
【０００４】  無駄な費用及び時間を要することなく、現場着手が可能な柱である。
【考案の効果】
【０００５】  ワイヤー等を巻き付ける作業により強度があがる。
【考案を実施するための最良の形態】
【０００６】  柱部分をワイヤーを二重に巻き付けることにより強度が倍増する。
【図面の簡単な説明】
【０００７】
【図１】本考案の構造体補強によるパイプワイヤーを用いた一実施例を示す立面図である。
【図２】建築物の角柱に補強を用いた平面図である。
【図３】建築物の丸柱に補強を用いた平面図である。
【図４】建築柱、壁にパイプワイヤーを巻き付けた断面図である。
【図５】梁及びスラブにパイプワイヤーを巻き付けた断面図である。
【符号の説明】
【０００８】  １    建築柱  ２    梁  ３    パイプ半割  ４    鋼製ワイヤー  ５    ワイヤー止具  ６    ワイヤー通し穴  ７    仕切壁  ８    ワイヤー壁仕切通し穴  ９    コンクリートスラブ  １０  地中梁
(57)【要約】【課題】ゴルフクラブのシャフトの本来の性能を効果的に発揮できるようにしたグリップを提供する。【解決手段】グリップ本体の長さを短くすることにより、ゴルフクラブを振った時にシャフトの性能を最大限に発揮できる。【選択図】図１
0003122809.tif 000002
【実用新案登録請求の範囲】
【請求項１】
グリップの本体の全長を両手で握った時の長さ以上にならないように１８０ｍ／ｍ〜２３０ｍ／ｍの長さの範囲で装着するゴルフクラブのグリップ。
【考案の詳細な説明】
【技術分野】
【０００１】  本考案はゴルフのプレーの際グリップの部分、すなわち左手の掌部の小指、薬指、中指、人差し指と右手の掌部の小指、薬指、中指、人差し指を合せた長さの計を１８０ｍ／ｍ〜２３０ｍ／ｍの範囲としたゴルフクラブのグリップに関する。
【背景技術】
【０００２】  ゴルフのプレーの際には、シャフトに天然ゴム、合成ゴムあるいは他の樹脂で作られたグリップを装着してあるが、長さはどれも２６０ｍ／ｍ〜２７０ｍ／ｍとなっているため、シャフトの性能を活かしきれておらず実際は両手を着けた長さまでが望ましい。【０００３】  手のサイズも欧米人と日本人のようなアジア圏の人種とは大きさも異なるが、それでも従来の長さは必要ない。
【考案の開示】
【考案が解決しようとする課題】
【０００４】  本考案は、グリップ本体の長さを１８０ｍ／ｍ〜２３０ｍ／ｍの長さにし、シャフト本来の性能を発揮できることを目的とするものである。【０００５】  本考案のグリップの長さを１８０ｍ／ｍ〜２３０ｍ／ｍにすることで欧米人のように手の大きい人でも対応することが出来るグリップを提供することを目的としたものである。
【課題を解決するための手段】
【０００６】  上記の目的を達成するための本考案の構成を詳述すれば、請求項１に係る考案は、グリップ本体の長さを１８０ｍ／ｍ〜２３０ｍ／ｍにすることで、それ以上の長さのグリップは無駄な長さと考えられ、従来のサイズより短いことを特徴とするグリップである。
【考案の効果】
【０００７】  本考案によれば、グリップ本体の長さ、すなわち２６０ｍ／ｍ〜２７０ｍ／ｍの長さはシャフトの性能を阻害しており、１８０ｍ／ｍ〜２３０ｍ／ｍの両手サイズのグリップにすることによって、シャフト本来の性能を十分に引き出す事の出来るグリップとなる。
【考案を実施するための最良の形態】
【０００８】  以下、本考案に係るゴルフクラブのグリップの具体的構成を図示の実施形態に基づいて詳細に説明する。【０００９】  図１は本考案ゴルフクラブのグリップの実施形態を示す平面図である。
【図面の簡単な説明】
【００１０】
【図１】  本考案、ゴルフクラブのグリップの実施形態を示す平面図である。
【符号の説明】
【００１０】  １  シャフト
２  本考案のグリップ
３  右手
４  左手
５  従来のグリップ
【図１】
0003122809.tif 000003
【手続補正書】
【提出日】平成18年4月17日(2006.4.17)
【手続補正１】
【補正対象書類名】実用新案登録請求の範囲
【補正対象項目名】全文
【補正方法】変更
【補正の内容】
【実用新案登録請求の範囲】
【請求項１】
ゴルフクラブの握りの部分に取付けられる天然ゴム又は合成ゴムにて作製されるゴルフ用グリップであって、グリップ本体のグリップエンドから下端部までの長手方向長さを１８０ｍｍ〜２３０ｍｍの範囲内としたことを特徴とするゴルフ用グリップ。
【手続補正２】
【補正対象書類名】明細書
【補正対象項目名】全文
【補正方法】変更
【補正の内容】
【考案の詳細な説明】
【技術分野】
【０００１】
本考案はゴルフクラブにおけるシャフトの握りの部分に取付けられるゴルフ用グリップの改良に関する。
【背景技術】
【０００２】
ゴルフクラブにおけるシャフトの握りの部分には、従来周知のように、天然ゴムあるいは合成ゴムにて作製されたグリップを装着するが、従来のこれらグリップのグリップエンドから下端部までの長手方向長さはゴルファーがスイングの際に両手で握るときの長さよりも可成り長い２６０ｍｍ〜２７０ｍｍの範囲内であった。
【０００３】
ゴルフプレーの際、ゴルファーは左手の掌部側の小指、薬指、中指及び人差し指と、右手の掌部側の小指、薬指、中指及び人差し指によってグリップ部を握るが、このときのグリップ部に接触する長さは前記した従来のグリップ部の長手方向長さである２６０ｍｍ〜２７０ｍｍより可成り短く、グリップ部に余剰の部分が生ずることが多かった。
【考案の開示】
【考案が解決しようとする課題】
【０００４】
前記したように、従来のグリップ本体の長さは握ったときのゴルファーの手の長さより可成り長い２６０ｍｍ〜２７０ｍｍであった。このためゴルフクラブのシャフト本来の性能を発揮することができないという問題点があった。
【０００５】
すなわち、天然ゴムあるいは合成ゴムにて作製されたグリップ部が必要以上に長いとシャフトのしなりを阻害する要因となりシャフト本来の性能を十分に引き出すことができない。
【０００６】
そのため、本考案はグリップ本体の長手方向長さを最適に設定してシャフト本来の性能を十分に引き出すことができるようにしたゴルフ用グリップを提供することを目的とするものである。
【課題を解決するための手段】
【０００７】
上記目的を達成するための本考案の構成を詳述すれば、請求項１に係る考案は、ゴルフクラブの握りの部分に取付けられる天然ゴム又は合成ゴムにて作製されるゴルフ用グリップであって、グリップ本体のグリップエンドから下端部までの長手方向長さを１８０ｍｍ〜２３０ｍｍの範囲内としたことを特徴とするゴルフ用グリップである。
【０００８】
ここで、グリップ本体のグリップエンドから下端部までの長手方向長さの下限値を１８０ｍｍ以上としたのは、これ以下の寸法であるとゴルファーの手がグリップからはみ出るおそれがあるからであり、上限値を２３０ｍｍ以下としたのは、この寸法であれば欧米人のように手の大きいプレーヤーでも対応が可能となるからである。
【考案の効果】
【０００９】
本考案によれば、グリップ本体のグリップエンドから下端部までの長手方向長さを１８０ｍｍ〜２３０ｍｍの範囲内としたことによりスイングの際のシャフトの性能を阻害することがなくなり、クラブシャフトの本来の性能を十分に引き出すことができる。
【考案を実施するための最良の形態】
【００１０】
以下、本考案に係るゴルフ用グリップの具体的構成を図示の実施形態に基づいて詳細に説明する。
【００１１】
図１は本考案ゴルフ用グリップおよびグリップエンドの一実施形態を示す説明図である。
【００１２】
図中１は天然ゴムあるいは合成ゴムにて作製されたグリップ本体である。
【００１３】
また、図中２はグリップ本体１のグリップエンドを示し、３はグリップ本体１の下端部を示す。
【００１４】
本考案におけるグリップ本体１のグリップエンド２から下端部３までの長さは１８０ｍｍ〜２３０ｍｍの範囲内に形成してある。
【図面の簡単な説明】
【００１５】
【図１】本考案ゴルフ用グリップおよびグリップエンドの一実施形態を示す説明図である。
【符号の説明】
【００１６】
１：グリップ本体
２：グリップエンド
３：下端部
【手続補正３】
【補正対象書類名】図面
【補正対象項目名】図１
【補正方法】変更
【補正の内容】
【図１】
0003122809.tif 000004
(57)【要約】      （修正有）【課題】ゴルフパターに関するものでありグリップの形状に工夫を加える事により、ショートパットのときなどのミスヒットを解決する。【解決手段】左右の握りに段差があるので肩の力が抜けショートパットでの不安が解消された。【選択図】図１
0003122805.tif 000002
【実用新案登録請求の範囲】
【請求項１】
パイプ状の円筒のもので柄の平面の一部がラッパ状になることを特徴とした補助グリップ
【請求項２】
パターグリップの一部に厚みを設け着脱が容易であり両手の握りに段差をつけることを特徴とした補助グリップ
【考案の詳細な説明】
【技術分野】
【０００１】本考案はゴルフパターに関するものでありグリップの形状に工夫を加える事により、ショートパットのときなどのミスヒットを解決するためのものである。
【背景技術】
【０００２】従来のパターグリップは柄の平面が差のない平面で一定のものが使われていた。
【考案の開示】
【考案が解決しようとする課題】
【０００３】使い慣れたパターで１ｍ以内のショートパットをするとき手元が狂い左へ引っかけ気味になることがある。本考案はこの課題を解決するためになされたものである。
【課題を解決するための手段】
【０００４】グリップ本体２に補助グリップ１を左を握る箇所に装着し指全体の左手の握りがいつもより１ｃｍ程度開く状態になる。そのことにより手の甲、ひじがしっかり安定するため肩の力が抜け構えやすい。
【考案の効果】
【０００５】よって本考案の補助グリップにより左手の握りがしっかりするためバランスが崩れなく手の甲がフェイス面に合わせやすくヘッド軌道が安定し目標へイメージ通りヒットする。これで左への引っかけは解消されることになる。また右の指にかけて使用することができロングパットなど使用しない場合はズボンのポケットに入れ持ち歩くこともできる。
【考案の実施するための最良の形態】
【０００６】一般に使用しているパターのグリップに付け加えるものであるため取り外しができるよう平面の一部を切り口を設けマジックテープで止めるものまたはグリップエンドから抜き取ることのできるものとするのがよく平面の先がラッパ状にするのもよい。その長さは１２ｃｍ位で厚さは３ｍｍ、ラッパ状の先端部分は２ｃｍ程度のものでよい。また、素材はゴムで形成されることが望ましい。
【図面の簡単な説明】
【０００７】
【図１】本考案補助グリップ平面図である。
【図２】円筒形の補助グリップを差し込む状態である。
【図３】一般に使用されてるパターグリップ
【図４】［図３］に補助グリップを装着した断面図である。
【図５】一般のゴルフパター
【図６】ラッパ状の補助グリップ
【図７】［図３］を左手で握った状態の図
【図８】［図２］を左手で握った状態の図
【符号の説明】
【０００８】１    パターグリップ
２    補助グリップ
Ｍ    マジックテープ
Ｓ    シャフト
【図１】
0003122805.tif 000003
【図２】
0003122805.tif 000004
【図３】
0003122805.tif 000005
【図４】
0003122805.tif 000006
【図５】
0003122805.tif 000007
【図６】
0003122805.tif 000008
【図７】
0003122805.tif 000009
【図８】
0003122805.tif 000010
【手続補正書】
【提出日】平成18年3月13日(2006.3.13)
【手続補正１】
【補正対象書類名】実用新案登録請求の範囲
【補正対象項目名】請求項２
【補正方法】変更
【補正の内容】
【請求項２】
パターグリップの一部に厚みを設け着脱が容易であり両手の握りに段差をつけることを特徴とする請求項１記載の補助グリップ
(57)【要約】【課題】  本考案は、紙巻器において紙を切断する際、紙切板を手で押さえて切断することが多く、また、使用する時紙の先端部分をつまみ、引き出す際にその先端部分が紙切板の内側に隠れて出しにくくなり、ロールペーパーを手で回転させなければならず、そのため他人の手の接触部分が紙及び器具にあり、不衛生かつ不便といった問題点をなくする。【解決手段】紙巻の先端１０１を切る時に、回転式紙切板紙切断部１３にかかる力がてこの作用で紙切板ゴム付紙加圧部１２を紙巻受ローラー３に加圧して、ロール紙の移動を固定して紙切板紙切断部１３にて紙を切断できるようにした。【選択図】図１
0003122873.tif 000002
【実用新案登録請求の範囲】
【請求項１】
装着された下部の紙巻１００の下部からロール紙取り出し部を設け、紙切板を回転式にすることによりロール紙を切る時の力がてこの作用で、ロール紙を紙切板の加圧によりロール紙の移動を固定してロール紙を切断する回転式紙切板１を設けたことを特徴とする紙巻器。
【考案の詳細な説明】
【技術分野】
【０００１】  本考案は、紙巻器に関するものである。
【背景技術】
【０００２】  従来の片手で紙を引き出し切断するワンハンドカット式紙巻器においては、装てんされる紙巻器の上面に紙切板が加圧されて、その加圧力によりペーパーを切断する機構と又、ペーパー送りレバーによりペーパーを取り出す機構のものがある（例  実開平７−２８４９９号公報）。
【考案の開示】
【考案が解決しようとする課題】
【０００３】  しかし、ロール紙カット後ペーパーを取り出すには、ペーパー送りレバーによらなければならず他人の手の接触部分があり、不衛生といった問題点がある。
【課題を解決するための手段】
【０００４】  本考案は、紙切板を回転式にしてロール紙を切る時の力がてこの作用で紙切板の加圧によりロール紙を固定し、紙を切断する紙切板を設けたことを特徴とする紙巻器。
【考案の効果】
【０００５】  本考案の紙巻器は、従来の不衛生な紙巻器を衛生的な紙巻器に替えることが可能となる。
【考案を実施するための最良の形態】
【０００６】  上述のように本考案の衛生的なワンハンドカット式紙巻器として機構をなすには、紙切板を回転式にしてロール紙をカット可能となる機構が最良の形態となる。
【実施例】
【０００７】  以下、本考案の実施例を説明する。ここで、図１は、本考案の紙巻器を装てんする為に紙巻装てん用開閉カバー２３を開いている状態の斜視図である。【０００８】  紙巻１００とスペアー紙巻１０２を装てんして紙巻装てん用開閉カバー２３をセットした状態の図である（図２）。）【０００９】  紙巻の先端１０１を下に引き出すことにより、紙巻１００受のゴム付回転軸３又は３１が回転する（図２）。【００１０】  紙巻の先端１０１を上部に引けば、紙切板紙切断部１３にかかる力がてこの作用で紙切板ゴム付紙加圧部１２を紙巻受ローラー３に加圧して、ロール紙の移動を止めて、紙切板紙切断部１３にて紙は切断される（図３）。【００１１】  ロール紙が切断されると、紙切板１は安定バネ１４にて元の状態に戻り、紙巻の先端１０１は次に使用できる状態となる（図２）。【００１２】  紙巻１００の紙がなくなると、紙巻取替ハンドル３３を引くと、アーム３４の受軸３５を中心にして紙巻受ゴム付ローラー３１が移動して、空芯１０３が空芯受枠２４に落ち込み、開閉カバー突出棒３７の連動により開閉カバー２３が少し開いた状態となり、又、紙巻スペアー受ローラー３２の移動によりスペアー紙巻１０２が落ちて、開閉カバー２３をセットすれば使用可能となる（図４）。【００１３】  これらの形態から、簡単な機構により紙巻の先端１０１の取り出しが可能となり、衛生的な紙巻器となる。
【図面の簡単な説明】
【００１４】
【図１】  本考案の紙巻器の開閉カバーを開いた状態を示す斜視図である。
【図２】  紙巻及びスペアー紙巻セットの状態を示す断面図である。
【図３】  ロール紙の切断中の状態を示す断面図である。
【図４】  スペアー紙巻の交換中の状態を示す断面図である。
【符号の説明】
【００１５】    Ａ      紙巻器
１      回転式紙切板
１１    回転式紙切板受軸
１２    回転式紙切板紙加圧部
１３    回転式紙切板紙切断部
２      紙巻器裏面の壁取付ぶ固定カバー
２１    紙巻器側面部固定カバー
２２    開閉カバーのキャッチ用バネ
２３    紙巻装てん用開閉カバー
２４    空芯受枠
３      紙巻受ローラー（固定軸）
３１    紙巻受ローラー（移動軸）
３２    スペアー紙巻受ローラー（移動軸）
３３    紙巻取替用ハンドル
３４    紙巻取替用アーム
３５    紙巻取替用アーム受け軸
３６    アーム用安定バネ
３７    開閉カバー突出棒
１００  紙巻
１０１  紙巻の先端
１０２  スペアー紙巻
１０３  空芯
【図１】
0003122873.tif 000003
【図２】
0003122873.tif 000004
【図３】
0003122873.tif 000005
【図４】
0003122873.tif 000006
(57)【要約】      （修正有）【課題】携帯用レンチは、携帯する工具の重量を減らすことを目的とする。【解決手段】携帯用レンチは、連結部を持つ２つのレンチと、連結を行うボルト、ナットから構成される。【選択図】図１
0003122875.tif 000002
【実用新案登録請求の範囲】
【請求項１】
本考案は、レンチに連結部を設けることにより、２個のレンチを連結できることを特徴とする携帯用レンチ。
【考案の詳細な説明】
【考案の詳細な説明】
【産業上の利用分野】
【０００１】本考案は、ボルトの締め付け作業に使用する工具に関する。
【背景技術】
【０００２】従来のメガネレンチは、異なる２種類のサイズのボルト嵌合頭部を両端部に持った一体型の工具である。
【考案が解決しようとする課題】
【０００３】従来のメガネレンチを使用して、サイズの異なる複数種類のボルトに対して締め付け作業を行う場合、ボルトの組み合わせによっては、メガネレンチが持つ、２種類のサイズのボルト嵌合頭部の一方がボルトに適していても、もう一方のボルト嵌合頭部に適したボルトが無く、このボルト嵌合頭部が、全く使われない場面も多い。
【０００４】このようなとき、従来のメガネレンチは、異なる２種類のサイズのボルト嵌合頭部を両端部に持った一体型のため、使用されないサイズのボルト嵌合頭部のみを取り外すことは出来なかった。
【０００５】そのため、使用されないサイズのボルト嵌合頭部を含めた、メガネレンチを携帯するしかなく、結果として、工具の重量が増していた。
【課題を解決するための手段】
【０００６】本考案は、上記課題を解決するために、片側にボルト嵌合頭部、もう一方の側に連結部を持たせたレンチとし、この連結部にて、２個のレンチを連結できる構造とした。
【０００７】これにより、締め付け作業を行うボルトの種類に適したサイズのレンチを２個用意し、お互いのレンチを連結することにより、締め付け作業を行うボルトの種類に適したサイズのボルト嵌合頭部を両端に持つ、携帯用レンチを実現する、これにより上記課題を解決することができる。
【考案の作用、効果】
【０００８】使用されないサイズのボルト嵌合頭部を携帯する必要が無くなるため、携帯する工具を軽量化することができる。
【０００９】また、お互いのレンチの連結を外すことにより、工具の全長を短くできるため、工具収納スペースの低減化できる。
【実施例】
【００１０】以下、本考案の実施例を添付図面に基づいて説明する。【００１１】本考案の携帯用レンチは、図１に示すように、ボルト嵌合頭部１、連結部２を有したレンチと、ボルト嵌合頭部３、連結部４を有したレンチ、ボルト５、６、及び、ナット７，８からなる。【００１２】ボルト嵌合頭部１、連結部２を有したレンチと、ボルト嵌合頭部３、連結部４を有したレンチとを、ボルト５、６、及び、ナット７，８で連結することにより、ボルト嵌合頭部を両端部に持った携帯用レンチとして機能する。
【図面の簡単な説明】
【００１３】
【図１】本考案の一実施例を示す分解斜視図である。
【図２】本考案の連結状態を示す斜視図である。
【符号の説明】
１…ボルト嵌合頭部
２…連結部
３…ボルト嵌合頭部
４…連結部
５…ボルト
６…ボルト
７…ナット
８…ナット
【図１】
0003122875.tif 000003
【図２】
0003122875.tif 000004